(57)【特許請求の範囲】
【請求項１】
無線端末と無線信号を送受信する基地局の機能が１つの信号処理装置（ＢＢＵ：Ｂａｓｅ  Ｂａｎｄ  Ｕｎｉｔ）と１つ又は複数の無線装置（ＲＲＨ：Ｒｅｍｏｔｅ  Ｒａｄｉｏ  Ｈｅａｄ）に分割されている分散型無線通信基地局システムであって、
１つの前記ＢＢＵと１つ又は複数の前記ＲＲＨとを接続し、前記ＢＢＵと前記ＲＲＨとの間を光信号でＲｏＦ（Ｒａｄｉｏ  ｏｖｅｒ  Ｆｉｂｅｒ）伝送するＰＯＮ（Ｐａｓｓｉｖｅ  Ｏｐｔｉｃａｌ  Ｎｅｔｗｏｒｋ）システムと、
前記ＢＢＵと前記ＲＲＨとの間のトラヒック量に応じてシステム帯域幅を決定するシステム帯域幅制御部と、
前記システム帯域幅制御部が決定したシステム帯域幅で決定されるサンプリング周波数で伝送信号をサンプリングして前記光信号を送受信するＲｏＦ伝送部と、
を備えることを特徴とする分散型無線通信基地局システム。
【請求項２】
前記ＲｏＦ伝送部は、前記ＲＲＨに、
前記ＢＢＵから通知されるサンプリングに関する伸長情報に基づいてＲｏＦ伝送後の下り伝送信号のサンプリング周波数を規定値に戻す伸長回路と、
前記伸長回路が前記下り伝送信号のサンプリング周波数を規定値に戻す際に発生するエイリアス信号を除去するベースバンドフィルタ回路と、
前記ベースバンドフィルタ回路が出力する前記下り伝送信号をアナログ信号へ変換するデジタル／アナログ変換回路と、
を有することを特徴とする請求項１に記載の分散型無線通信基地局システム。
【請求項３】
前記ＲｏＦ伝送部は、前記ＲＲＨに、
アナログ信号を規定値のサンプリング周波数でサンプリングして上り伝送信号を生成するアナログ／デジタル変換回路と、
前記ＢＢＵから通知されるサンプリングに関する圧縮情報に基づいて決定されたシステム帯域幅を判断し、前記システム帯域幅上の前記上り伝送信号を通過させるベースバンドフィルタ回路と、
前記圧縮情報に基づいて前記上り信号のサンプリング周波数を変更する圧縮回路と、
を有することを特徴とする請求項１に記載の分散型無線通信基地局システム。
【請求項４】
前記ＲｏＦ伝送部は、
前記システム帯域幅で決定されるサンプリング周波数を、使用される無線信号の周波数が記載された無線帯域割当情報を基に変更し、
ＲｏＦ伝送後の伝送信号のサンプリング周波数を、前記システム帯域幅で決定されるサンプリング周波数に戻すことを特徴とする請求項１に記載の分散型無線通信基地局システム。
【請求項５】
前記ＢＢＵは、
前記システム帯域幅制御部が決定したシステム帯域幅に存在する無線帯域のみで帯域割り当てを行う無線帯域割当回路を有し、
前記ＲｏＦ伝送部は、
前記システム帯域幅で決定されるサンプリング周波数を、前記無線帯域割当回路が割り当てた無線信号をＲｏＦ伝送可能なようにサンプリング周波数に変更し、
ＲｏＦ伝送後の伝送信号のサンプリング周波数を、前記システム帯域幅で決定されるサンプリング周波数に戻すことを特徴とする請求項１に記載の分散型無線通信基地局システム。
【請求項６】
前記システム帯域幅制御部は、
前記ＢＢＵと前記ＲＲＨとの間のトラヒック量の増加量について第一閾値を有し、前記増加量が前記第一閾値を超えたとき、前記システム帯域幅を増大することを特徴とする請求項１から５のいずれかに記載の分散型無線通信基地局システム。
【請求項７】
前記システム帯域幅制御部は、
前記ＢＢＵと前記ＲＲＨとの間のトラヒック量の減少量について第二閾値を有し、前記減少量が前記第二閾値を超えたとき、前記システム帯域幅を減少することを特徴とする請求項１から６のいずれかに記載の分散型無線通信基地局システム。
【請求項８】
無線端末と無線信号を送受信する基地局の機能が１つの信号処理装置（ＢＢＵ：Ｂａｓｅ  Ｂａｎｄ  Ｕｎｉｔ）と１つ又は複数の無線装置（ＲＲＨ：Ｒｅｍｏｔｅ  Ｒａｄｉｏ  Ｈｅａｄ）に分割されている分散型無線通信基地局システムの通信方法であって、
１つの前記ＢＢＵと１つ又は複数の前記ＲＲＨとをＰＯＮ（Ｐａｓｓｉｖｅ  Ｏｐｔｉｃａｌ  Ｎｅｔｗｏｒｋ）システムで接続し、前記ＢＢＵと前記ＲＲＨとの間を光信号でＲｏＦ（Ｒａｄｉｏ  ｏｖｅｒ  Ｆｉｂｅｒ）伝送する際に、
前記ＢＢＵと前記ＲＲＨとの間のトラヒック量に応じてシステム帯域幅を決定するシステム帯域幅制御手順と、
前記システム帯域幅制御手順で決定したシステム帯域幅で決定されるサンプリング周波数で伝送信号をサンプリングして前記光信号を送受信するＲｏＦ伝送手順と、
を行うことを特徴とする通信方法。
【発明の詳細な説明】
【技術分野】
【０００１】
本発明は、無線通信基地局の機能が信号処理部と無線通信部に分割され物理的に離れた構成である分散型無線通信基地局システム及びその通信方法に関する。
【背景技術】
【０００２】
セルラーシステムにおいて、セル構成の自由度を向上するため、基地局の機能を信号処理部（ＢＢＵ：  Ｂａｓｅ  Ｂａｎｄ  Ｕｎｉｔ）とＲＦ部（ＲＲＨ：  Ｒｅｍｏｔｅ  Ｒａｄｉｏ  Ｈｅａｄ）に分割して物理的に離れた構成とする事が検討されている。この時ＢＢＵ−ＲＲＨ間において無線信号はＲｏＦ（Ｒａｄｉｏ  ｏｖｅｒ  Ｆｉｂｅｒ）技術により伝送される。ＲｏＦ技術は光伝送方法によりアナログＲｏＦ技術とデジタルＲｏＦ技術に大別できるが、近年は伝送品質に優れたデジタルＲｏＦ技術の検討が盛んであり、ＣＰＲＩ（Ｃｏｍｍｏｎ  Ｐｕｂｌｉｃ  Ｒａｄｉｏ  Ｉｎｔｅｒｆａｃｅ）等の標準化団体の下、仕様策定が進められている（例えば、非特許文献１を参照。）。また、ＢＢＵ−ＲＲＨ間の接続媒体として、同軸ケーブルや光ファイバ等が用いられるが、特に光ファイバによって接続する事により、伝送距離を拡大する事ができる。
【０００３】
一つのＢＢＵが複数のＲＲＨを収容する事もできる。これにより、各ＲＲＨに必要なＢＢＵを一つに集約する事ができ、運用／設置コストを削減することが可能となる。このような形態の一例として、図８に示すよう、ＢＢＵ−ＲＲＨ間をＰＯＮ（Ｐａｓｓｉｖｅ  Ｏｐｔｉｃａｌ  Ｎｅｔｗｏｒｋ）システムで接続する形態が提案されている。ＰＯＮの信号多重方法としては、ＴＤＭ（Ｔｉｍｅ  Ｄｉｖｉｓｉｏｎ  Ｍｕｌｔｉｐｌｅｘ）、ＷＤＭ（Ｗａｖｅｌｅｎｇｔｈ  Ｄｉｖｉｓｉｏｎ  Ｍｕｌｔｉｐｌｅｘ）、ＦＤＭ（Ｆｒｅｑｕｅｎｃｙ  Ｄｉｖｉｓｉｏｎ  Ｍｕｌｔｉｐｌｅｘ）等が選択できる。
【０００４】
また、一つのＢＢＵが一つのＲＲＨに対して信号を伝送する場合においても、ＲＲＨが複数のアンテナを備えている場合は、ＢＢＵ−ＲＲＨ間で複数の無線信号が多重されて伝送される事となる。この場合の信号多重方法も、ＴＤＭ、ＷＤＭ、ＦＤＭ等が選択できる。
【０００５】
ＬＴＥ（Ｌｏｎｇ  Ｔｅｒｍ  Ｅｖｏｌｕｔｉｏｎ）やＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）等のセルラーシステムにおいて、端末がユーザデータを送受信するためには、端末固有の通信チャネル（無線帯域）が必要である。この無線帯域の割当は基地局により行われる。ＬＴＥシステムを例に取ると、図９に示すよう、基地局は最小１ｍｓ周期でスケジューリングを行い各端末へ無線帯域割当を行う。無線帯域割当はリソースブロック（ＲＢ：  Ｒｅｓｏｕｒｃｅ  Ｂｌｏｃｋ）単位で行われ、１ＲＢは１８０ｋＨｚの周波数領域、０．５ｍｓの時間領域で構成される。システム帯域幅が２０ＭＨｚの場合には、周波数軸上に１１０個のＲＢが存在する。また１ＲＢの中には、通常のサイクリックプレフィックスを想定すると、７シンボルが挿入されている。一方基地局が端末へ送信する信号には、各端末向けのユーザデータだけでなく、制御情報（スケジューリング情報やＡＣＫ／ＮＡＣＫ等）、端末がチャネル推定を行うための参照信号（全端末向けに送信されるセル固有参照信号や、個別の端末向けに送信されるＵＥ固有参照信号等）、各端末が基地局と同期を取るための同期信号等が送信される。
【０００６】
以後、ＢＢＵ−ＲＲＨ間のデジタルＲｏＦ伝送技術を関連技術と呼ぶ。また、ＢＢＵで作成した無線信号のＩ軸Ｑ軸ごとのデジタル信号（ＩＱデータ）を光信号に変換してＲＲＨへ伝送し、ＲＲＨで受信した光信号を無線信号に変換して、端末へと送信するリンクを下りリンクと呼ぶ。一方、端末が送信した無線変調信号をＲＲＨで受信し、受信した無線信号を光信号に変換してＢＢＵへ伝送し、ＢＢＵで受信した光信号をＩＱデータに変換して信号の復調を行うリンクを上りリンクと呼ぶ。
【０００７】
関連技術のＲＲＨの装置構成例を図１０に示す。ＲＲＨ１２０は上りリンクの信号処理のため、無線信号の送／受信を行うアンテナ１１と、送信／受信を切り替える送受切替部１２と、受信した無線信号の信号電力を信号処理ができるレベルまで増幅する増幅器２１と、無線信号をダウンコンバートするダウンコンバート部２２と、ダウンコンバートされたアナログ信号をＩＱデータに変換するＡ／Ｄ変換部２３と、ＩＱデータに対してフィルタリング処理を行うベースバンドフィルタ部（上り）２４と、ＩＱデータとＢＢＵ−ＲＲＨ間の制御信号を多重するフレーム変換部２５と、電気信号を光信号に変換して送信するＥ／Ｏ変換部２６を有する。送受切替部１２は、ＦＤＤ（Ｆｒｅｑｕｅｎｃｙ  Ｄｉｖｉｓｉｏｎ  Ｄｕｐｌｅｘ）と、ＴＤＤ（Ｔｉｍｅ  Ｄｉｖｉｓｉｏｎ  Ｄｕｐｌｅｘ）のどちらにも対応できる。
【０００８】
またＲＲＨ１２０は下りリンクの信号処理のため、ＢＢＵから受信した光信号を電気信号に変換するＯ／Ｅ変換部３１と、受信信号からＢＢＵ−ＲＲＨ間の制御信号及びＩＱデータを取り出すフレーム変換部３２と、ＩＱデータに対してフィルタリング処理を行うベースバンドフィルタ部（下り）３３と、ＩＱデータをアナログ信号に変換するＤ／Ａ変換部３４と、アナログ信号をアップコンバートするアップコンバート部３５と、電力を決められた送信電力まで増幅する増幅器３６と、送受切替部１２とアンテナ１１を有する。
【０００９】
関連技術のＢＢＵの装置構成例を図１１に示す。ＢＢＵ１１０は下りリンクの信号処理のため、無線帯域割当／符号化率／変調方式を決定する無線帯域割当／符号化率／変調方式決定部９０と、決定された符号化率を基にユーザデータ及び制御情報に対してＦＥＣ符号化・変調を行う符号化及び変調部５３−５と、符号化及び変調部の出力を所定の無線帯域へマッピングするマッピング部５３−２と、マッピング部の出力を時間領域の信号に変換する時間領域変換部５３−６と、時間領域変換部により出力されるＩＱデータとＢＢＵ−ＲＲＨ間の制御信号を多重するフレーム変換部５１と、電気信号を光信号に変換して送信するＥ／Ｏ変換部５２を有する。この構成はＯＦＤＭ通信を想定しており、変調はＱＰＳＫ，１６ＱＡＭ等のシンボルマッピングを指し、時間領域変換部はＩＦＦＴやＩＤＦＴの動作を行う。
【００１０】
またＢＢＵ１１０は上りリンクの信号処理のため、光信号を電気信号に変換するＯ／Ｅ変換部４１と、受信信号からＢＢＵ−ＲＲＨ間の制御信号及びＩＱデータを取り出すフレーム変換部４２と、ＩＱデータを周波数領域の信号に変換する周波数領域変換部４３−６と、周波数領域のデータから各無線帯域の信号を取り出すデマッピング部４３−２と、デマッピングされた各信号を時間領域の信号に戻す時間領域変換部４３−７と、時間領域の信号に対して復号・復調を行う復号及び復調部４３−８を有する。本構成はＤＦＴ−Ｓ−ＯＦＤＭを想定しており、周波数領域変換部がＦＦＴまたはＤＦＴ、時間領域変換部がＩＦＦＴまたはＩＤＦＴの動作を行い、復調はＱＰＳＫ，１６ＱＡＭ等のシンボルに対して硬判定／軟判定を行う処理を指す。上りリンクがＯＦＤＭ通信の場合も考えられ、その場合は時間領域変換部が存在しない。
【００１１】
ＣＰＲＩでＬＴＥ（Ｌｏｎｇ  Ｔｅｒｍ  Ｅｖｏｌｕｔｉｏｎ）信号を伝送する場合を例に取ると、システム帯域幅２０ＭＨｚのシステムに対しては３０．７２ＭＨｚのサンプリング周波数が用いられ、またＩ軸とＱ軸のそれぞれに対するデジタルサンプリングにおいて上り信号は４〜２０ビット、下り信号は８〜２０ビットの量子化ビット数が適用される。またフレーム変換部ではフレーム全体の１／１６に制御信号が挿入され、さらに信号は８Ｂ／１０Ｂ符号化した後に伝送される。
【００１２】
ＩＱデータのデータ量を削減する処理（圧縮処理）を用いる事で、ＢＢＵ−ＲＲＨ間の光帯域を有効に利用できる。下りリンクでは、ＢＢＵがＩＱデータを圧縮して伝送し、ＲＲＨが圧縮されたＩＱデータを元のＩＱデータに戻す処理（伸長処理）を行う。これにより、ＲＲＨから出力される無線信号品質をほとんど劣化する事無く、光区間の所要帯域を削減できる。同様に上りリンクでも、ＲＲＨがＩＱデータを圧縮して伝送し、ＢＢＵが圧縮されたＩＱデータに対して伸長処理を行えば、ＢＢＵが受信する無線信号品質をほとんど劣化することなく、光区間の所要帯域を削減できる。
【先行技術文献】
【非特許文献】
【００１３】
【非特許文献１】ＣＰＲＩ，  “ＣＰＲＩ  Ｓｐｅｃｉｆｉｃａｔｉｏｎ  Ｖ５．０”，  Ｓｅｐ．，  ２０１１，  ｈｔｔｐ：／／ｗｗｗ．ｃｐｒｉ．ｉｎｆｏ／ｓｐｅｃ．ｈｔｍｌ
【発明の概要】
【発明が解決しようとする課題】
【００１４】
基地局は、システム帯域幅に存在する無線帯域を各無線端末に割当てて、無線端末と通信を行う。ここでは、無線伝送に使用可能な周波数帯域幅をシステム帯域幅と定義する。
【００１５】
システム帯域幅に存在する無線帯域全てが、常に使用されているわけではない。ＲＲＨに帰属する無線端末数が少ない、または各無線端末の要求伝送速度が小さく、システム帯域幅のうち一部の無線帯域にしか無線信号が存在しないこともありえる。この場合に関連技術では、余剰なサンプリング周波数を使用していることとなり、光区間の所要帯域増大に繋がっていた。
【００１６】
そこで、本発明は、このような光区間の所要帯域増大を解決すべく、ＢＢＵ−ＲＲＵ間の所要帯域を低減できる分散型無線通信基地局システム及び通信方法を提供することを目的とする。
【課題を解決する手段】
【００１７】
本発明は、上記目的のため、各ＢＢＵ−ＲＲＨ間の無線トラヒック量に応じてシステム帯域幅を低減することにより、サンプリング周波数を低減して、光区間の所要帯域を削減することとした。
【００１８】
具体的には、本発明に係る分散型無線通信基地局システムは、無線端末と無線信号を送受信する基地局の機能が１つの信号処理装置（ＢＢＵ：Ｂａｓｅ  Ｂａｎｄ  Ｕｎｉｔ）と１つ又は複数の無線装置（ＲＲＨ：Ｒｅｍｏｔｅ  Ｒａｄｉｏ  Ｈｅａｄ）に分割されている分散型無線通信基地局システムであって、
１つの前記ＢＢＵと１つ又は複数の前記ＲＲＨとを接続し、前記ＢＢＵと前記ＲＲＨとの間を光信号でＲｏＦ（Ｒａｄｉｏ  ｏｖｅｒ  Ｆｉｂｅｒ）伝送するＰＯＮ（Ｐａｓｓｉｖｅ  Ｏｐｔｉｃａｌ  Ｎｅｔｗｏｒｋ）システムと、
前記ＢＢＵと前記ＲＲＨとの間のトラヒック量に応じてシステム帯域幅を決定するシステム帯域幅制御部と、
前記システム帯域幅制御部が決定したシステム帯域幅で決定されるサンプリング周波数で伝送信号をサンプリングして前記光信号を送受信するＲｏＦ伝送部と、
を備えることを特徴とする。
【００１９】
また、本発明に係る通信方法は、無線端末と無線信号を送受信する基地局の機能が１つの信号処理装置（ＢＢＵ：Ｂａｓｅ  Ｂａｎｄ  Ｕｎｉｔ）と１つ又は複数の無線装置（ＲＲＨ：Ｒｅｍｏｔｅ  Ｒａｄｉｏ  Ｈｅａｄ）に分割されている分散型無線通信基地局システムの通信方法であって、
１つの前記ＢＢＵと１つ又は複数の前記ＲＲＨとをＰＯＮ（Ｐａｓｓｉｖｅ  Ｏｐｔｉｃａｌ  Ｎｅｔｗｏｒｋ）システムで接続し、前記ＢＢＵと前記ＲＲＨとの間を光信号でＲｏＦ（Ｒａｄｉｏ  ｏｖｅｒ  Ｆｉｂｅｒ）伝送する際に、
前記ＢＢＵと前記ＲＲＨとの間のトラヒック量に応じてシステム帯域幅を決定するシステム帯域幅制御手順と、
前記システム帯域幅制御手順で決定したシステム帯域幅で決定されるサンプリング周波数で伝送信号をサンプリングして前記光信号を送受信するＲｏＦ伝送手順と、
を行うことを特徴とする。
【００２０】
システム帯域幅とサンプリング周波数とは関連している。例えば、ＬＴＥの場合、システム帯域幅２０ＭＨｚならばサンプリング周波数３０．７２ＭＨｚであり、システム帯域幅１０ＭＨｚならばサンプリング周波数１５．３６ＭＨｚである。このように、システム帯域幅を調整することでサンプリング周波数が変化するので光区間の所要帯域を低減することができる。従って、本発明は、光区間の所要帯域を低減できる分散型無線通信基地局システム及び通信方法を提供することができる。
【００２１】
本発明では、下りにおいてＲＲＨが次のような回路構成を持つ。
【００２２】
本発明に係る分散型無線通信基地局システムの前記ＲｏＦ伝送部は、前記ＲＲＨに、
前記ＢＢＵから通知されるサンプリングに関する伸長情報に基づいてＲｏＦ伝送後の下り伝送信号のサンプリング周波数を規定値に戻す伸長回路と、
前記伸長回路が前記下り伝送信号のサンプリング周波数を規定値に戻す際に発生するエイリアス信号を除去するベースバンドフィルタ回路と、
前記ベースバンドフィルタ回路が出力する前記下り伝送信号をアナログ信号へ変換するデジタル／アナログ変換回路と、
を有することを特徴とする。
【００２３】
本発明では、上りにおいてＲＲＨが次のような回路構成を持つ。
【００２４】
本発明に係る分散型無線通信基地局システムの前記ＲｏＦ伝送部は、前記ＲＲＨに、
アナログ信号を規定値のサンプリング周波数でサンプリングして上り伝送信号を生成するアナログ／デジタル変換回路と、
前記ＢＢＵから通知されるサンプリングに関する圧縮情報に基づいて決定されたシステム帯域幅を判断し、前記システム帯域幅上の前記上り伝送信号を通過させるベースバンドフィルタ回路と、
前記圧縮情報に基づいて前記上り信号のサンプリング周波数を変更する圧縮回路と、
を有することを特徴とする。
【００２５】
一方、本発明に係る分散型無線通信基地局システムの前記ＲｏＦ伝送部は、
前記システム帯域幅で決定されるサンプリング周波数を、使用される無線信号の周波数が記載された無線帯域割当情報を基に変更し、
ＲｏＦ伝送後の伝送信号のサンプリング周波数を、前記システム帯域幅で決定されるサンプリング周波数に戻すことを特徴とする。
【００２６】
逆に、本発明に係る分散型無線通信基地局システムの前記ＢＢＵは、
前記システム帯域幅制御部が決定したシステム帯域幅に存在する無線帯域のみで帯域割り当てを行う無線帯域割当回路を有し、
前記ＲｏＦ伝送部は、
前記システム帯域幅で決定されるサンプリング周波数を、前記無線帯域割当回路が割り当てた無線信号をＲｏＦ伝送可能なようにサンプリング周波数に変更し、
ＲｏＦ伝送後の伝送信号のサンプリング周波数を、前記システム帯域幅で決定されるサンプリング周波数に戻すことを特徴とする。
【００２７】
本発明は、無線帯域割当状況に応じてもサンプリング周波数を変えることができるので、光区間の所要帯域をさらに低減することができる。
【００２８】
本発明に係る分散型無線通信基地局システムの前記システム帯域幅制御部は、前記ＢＢＵと前記ＲＲＨとの間のトラヒック量の増加量について第一閾値を有し、前記増加量が前記第一閾値を超えたとき、前記システム帯域幅を増大することを特徴とする。
【００２９】
本発明は、トラヒック量の増加に応じてサンプリング周波数を調整することができる。
【００３０】
本発明に係る分散型無線通信基地局システムの前記システム帯域幅制御部は、前記ＢＢＵと前記ＲＲＨとの間のトラヒック量の減少量について第二閾値を有し、前記減少量が前記第二閾値を超えたとき、前記システム帯域幅を減少することを特徴とする。
【発明の効果】
【００３１】
本発明は、光区間の所要帯域を低減できる分散型無線通信基地局システム及び通信方法を提供することができる。
【図面の簡単な説明】
【００３２】
【図１】本発明に係る分散型無線通信基地局システムのＲＲＨを説明する図である。
【図２】本発明に係る分散型無線通信基地局システムのＢＢＵを説明する図である。
【図３】本発明に係る通信方法を説明する図である。
【図４】本発明に係る分散型無線通信基地局システムの動作を説明する図である。
【図５】本発明に係る分散型無線通信基地局システムのＲＲＨを説明する図である。
【図６】本発明に係る分散型無線通信基地局システムのＢＢＵを説明する図である。
【図７】本発明に係る分散型無線通信基地局システムのＢＢＵを説明する図である。
【図８】本発明に係る分散型無線通信基地局システムの構成を説明する図である。
【図９】ＬＴＥシステムの無線帯域割当手法を説明する図である。
【図１０】本発明に関連する分散型無線通信基地局システムのＲＲＨを説明する図である。
【図１１】本発明に関連する分散型無線通信基地局システムのＢＢＵを説明する図である。
【図１２】本発明に係る分散型無線通信基地局システムの動作を説明する図である。
【発明を実施するための形態】
【００３３】
添付の図面を参照して本発明の実施形態を説明する。以下に説明する実施形態は本発明の実施形態であり、本発明は、以下の実施形態に制限されるものではない。なお、本明細書及び図面において符号が同じ構成要素は、相互に同一のものを示すものとする。
【００３４】
（実施形態１）
本実施形態の分散型無線通信基地局システムは、無線端末と無線信号を送受信する基地局の機能が１つのＢＢＵと１つ又は複数のＲＲＨに分割されている分散型無線通信基地局システムであって、
１つのＢＢＵと１つ又は複数のＲＲＨとを接続し、ＢＢＵとＲＲＨとの間を光信号でＲｏＦ伝送するＰＯＮシステムと、
ＢＢＵとＲＲＨとの間のトラヒック量に応じてシステム帯域幅を決定するシステム帯域幅制御部と、
システム帯域幅制御部が決定したシステム帯域幅で決定されるサンプリング周波数で伝送信号をサンプリングして前記光信号を送受信するＲｏＦ伝送部と、
を備える。
【００３５】
図１は、本実施形態のＲＲＨ１２０を説明する装置構成例である。ＲＲＨ１２０は、
アナログ信号を規定値のサンプリング周波数でサンプリングして上り伝送信号を生成するアナログ／デジタル変換部２３と、
ＢＢＵから通知されるサンプリングに関する圧縮情報に基づいて決定されたシステム帯域幅を判断し、前記システム帯域幅上の前記上り伝送信号を通過させるベースバンドフィルタ部２４−１と、
前記圧縮情報に基づいて前記上り信号のサンプリング周波数を変更する圧縮部８２と、
を有する。
【００３６】
図１のＲＲＨ１２０は関連技術と異なり、上りリンクの信号処理のために、圧縮情報を抽出する圧縮情報（上り）抽出部８６と、通知された圧縮情報を基にＩＱデータのサンプリング周波数を低減する圧縮部（上り）８２を有する。また関連技術の場合と比べ、ベースバンドフィルタ部（上り）２４−１のフィルタ係数が異なり、変更されたシステム帯域幅に存在する無線信号だけを通過させるようフィルタリング処理を行う。また、ベースバンドフィルタ部２４−１と圧縮部８２の機能を、デシメーションフィルタで実現しても良い。
【００３７】
ＲＲＨ１２０は、
ＢＢＵから通知されるサンプリングに関する伸長情報に基づいてＲｏＦ伝送後の下り伝送信号のサンプリング周波数を規定値に戻す伸長部８１と、
伸長８１が前記下り伝送信号のサンプリング周波数を規定値に戻す際に発生するエイリアス信号を除去するベースバンドフィルタ部３３−１と、
ベースバンドフィルタ部３３−１が出力する前記下り伝送信号をアナログ信号へ変換するデジタル／アナログ変換回路３４と、
を有する。
【００３８】
ＲＲＨ１２０は下りリンクの信号処理のために、伸長情報を抽出する伸長情報（下り）抽出部８５と、抽出された伸長情報を基にＩＱデータのサンプリング周波数を元のサンプリング周波数に戻す伸長部（下り）８１を有する。ここで、「元のサンプリング周波数」とは、分散型無線通信システムに予め設定された（最大の）システム帯域幅を意味する。また関連技術と比べ、ベースバンドフィルタ部（下り）３３−１のフィルタ係数が異なり、変更されたシステム帯域幅に存在する無線信号だけを通過させるようフィルタリング処理を行う。ベースバンドフィルタ部３３−１と伸長部８１の機能をインターポレーションフィルタで実現しても良い。
【００３９】
図２は、本実施形態のＢＢＵ１１０を説明するの装置構成例である。ＢＢＵ１１０は、各ＢＢＵ―ＲＲＨ間の無線トラヒック量を算出する無線トラヒック量算出部（上り、下り）９２と、算出した無線トラヒック量に応じて各ＢＢＵ−ＲＲＨ間のシステム帯域幅を決定するシステム帯域幅制御部９３と、決定されたシステム帯域幅を基に圧縮／伸長制御のパラメータを決定する圧縮／伸長制御部９１を有する。
【００４０】
圧縮／伸長制御部９１の決定した圧縮／伸長制御情報は、フレーム変換部５１でＩＱデータと多重されてＲＲＨ１２０へ伝送される。決定したシステム帯域幅は、制御信号として無線端末へ通知される。例えばＬＴＥでは、ＰＢＣＨを用いてシステム帯域幅情報が伝送される。また変更したシステム帯域幅は、ＰＨＹ層／ＭＡＣ層／ＲＬＣ層のうち、該情報を必要とする個所に通知される。
【００４１】
ＬＴＥでは、システム帯域幅に応じて変調信号作成・信号復調のためのパラメータが異なる。例えばシステム帯域幅２０ＭＨｚの場合、サンプリング周波数３０．７２ＭＨｚ、２０４８ポイントＩＦＦＴが用いられるが、システム帯域幅１０ＭＨｚの場合、サンプリング周波数１５．３６ＭＨｚ、１０２４ポイントＩＦＦＴが用いられる。本実施形態では、システム帯域幅制御部９３で決定した値に応じて、符号化及び変調部５３−３と復号及び復調部４３−８が変調信号作成・信号復調のためのパラメータを変更する。
【００４２】
すなわち、本実施形態の分散型無線数新基地局システムは、システム帯域幅に対するサンプリング周波数が予め決められており、無線トラヒック量に応じてシステム帯域幅を変更することで光区間を伝送する信号のサンプリング周波数を変更し、光区間の所要帯域を調整する。例えば、現在のシステム帯域幅が無線トラヒック量に対して大きければ、システム帯域幅を縮小することでサンプリング周波数を低減し、光区間の所要帯域を削減することができる。一方、現在のシステム帯域幅が無線トラヒック量に対して小さければ、システム帯域幅を拡大してサンプリング周波数を増加する。光区間の所要帯域は増加するが、無線トラヒックが増大しても所要無線周波数帯域幅がシステム帯域幅を超えないようにできる
【００４３】
システム帯域幅の変更周期は任意である。ＰＢＣＨが４０ｍｓ周期で送られるため、４０ｍｓ周期でシステム帯域幅を変更しても良い。
【００４４】
無線トラヒック量算出部９２は、システム帯域幅に対して使用されている無線帯域の割合を算出しても良いし、無線端末数を算出しても良い。
【００４５】
本実施形態で説明した無線トラヒック量に応じてシステム帯域幅を変更する手法は、上りリンクのみ、下りリンクのみ、下りリンクと上りリンクの両方、のいずれにも適用できる。当該手法を下りリンクと上りリンクの両方に適用する際は、下りリンクと上りリンクのシステム帯域幅を別々に設定しても良い。
【００４６】
なお、前記ＰｏＦ伝送部は、上りリンクにおいて、圧縮情報抽出部８６、アナログ／デジタル変換部２３、ベースバンドフィルタ部２４−１、圧縮部８２、フレーム変換部２５、Ｅ／Ｏ変換部２６、Ｏ／Ｅ変換部４１、フレーム変換部４２、及び圧縮／伸長制御部９１である。前記ＰｏＦ伝送部は、下りリンクにおいて、圧縮／伸長制御部９１、フレーム変換部５１、Ｅ／Ｏ変換部５２、Ｏ／Ｅ変換部３１、フレーム変換部３２、伸長部８１、ベースバンドフィルタ部３３−１、デジタル／アナログ変換部３４、及び伸長情報抽出部８５である。
【００４７】
図３は、システム帯域幅決定のフローチャートの一例である。システム帯域幅制御部９３は、ＢＢＵ１１０とＲＲＨ１２０との間のトラヒック量の増加量について第一閾値と減少量について第二閾値を有し、前記増加量が第一閾値を超えたときシステム帯域幅を増大し、前記減少量が前記第二閾値を超えたときシステム帯域幅を減少する。
【００４８】
まず、無線トラヒック量算出部９２は、各ＢＢＵ−ＲＲＨ間の無線トラヒック量を算出する（ステップＳ０１）。そして、システム帯域幅制御部９３は、無線トラヒック量に応じてシステム帯域幅を決定する（ステップＳ０２）。その手法は、（ｉ）過去の無線トラヒック量に対する現状の無線トラヒック量の増加量が閾値Ｔｈ１以上であればシステム帯域幅を増大し、（ｉｉ）過去の無線トラヒック量に対する現状の無線トラヒック量の減少量が閾値Ｔｈ２以下であればシステム帯域幅を低減し、（ｉｉｉ）それ以外であればシステム帯域幅に変更を加えない。（ｉｉ）の動作はこの時点で省略しても良い。過去の無線トラヒック量は、現状より以前であれば任意の時点のトラヒック量で良く、システム帯域幅の変更周期１周期分前の無線トラヒック量でも良い。
【００４９】
その後、システム帯域幅制御部９３は、ＢＢＵ−ＲＲＨ間の所要帯域の合計値を計算し、合計値が光区間の通信容量以下であれば（ステップＳ０３においてＹＥＳ）処理を終了し、決定したシステム帯域幅を圧縮／伸長制御部９１及び無線端末へ通知するとともに、変調信号作成・信号復調のためのパラメータを符号化及び変調部５３−５及び復号及び復調部４３−８に変更させる。
【００５０】
システム帯域幅制御部９３は、ＢＢＵ−ＲＲＨ間の所要帯域の合計値を計算し、合計値が光区間の通信容量を超える場合（ステップＳ０３においてＮｏ）、通信容量以下となるまで、任意のＢＢＵ−ＲＲＨ間のシステム帯域幅を減少する。この時、どのＢＢＵ−ＲＲＨ間のシステム帯域幅を減少するかの選択基準として、システム帯域幅に対する無線トラヒック量の少ない順でも良いし、無線端末とやり取りしている信号の優先度の低い順でも良いし、現状のシステム帯域幅の大きい順でも良いし、無線端末と基地局間のチャネル品質状況の悪い順でも良いし、ランダムでも良い。
【００５１】
閾値Ｔｈ１は、次のシステム帯域幅変更タイミングまでの間、各ＢＢＵ−ＲＲＨ間で帯域不足とならないよう設定する必要がある。したがって、システム帯域幅を変更しなかった場合に、次のシステム帯域幅変更タイミング時点までに帯域不足となる確率を無線トラヒック量の増加量ごとに算出しておき、次のシステム帯域幅変更タイミング時点までに帯域不足となる確率が小さくなるよう、閾値Ｔｈ１を設定する。また、閾値Ｔｈ１は、無線トラヒック量の増加量に対するものでなく、無線トラヒック量に対するものであってもよい。この場合、システム帯域幅制御部９３は、無線トラヒック量が閾値Ｔｈ１以上であればシステム帯域幅を増加する。
【００５２】
閾値Ｔｈ２は、次のシステム帯域幅変更タイミングまでの間、各ＢＢＵ−ＲＲＨ間で帯域不足とならない範囲で設定する必要がある。したがって、システム帯域幅を変更した場合に、次のシステム帯域幅変更タイミング時点までに帯域不足となる確率を無線トラヒック量の減少量ごとに算出しておき、次のシステム帯域幅変更タイミング時点までに帯域不足となる確率が小さくなるよう、閾値Ｔｈ２を設定する。また、閾値Ｔｈ２は、無線トラヒック量の減少量に対するものでなく、無線トラヒック量に対するものであってもよい。この場合、システム帯域幅制御部９３は、無線トラヒック量が閾値Ｔｈ２以下であればシステム帯域幅を減少する。
【００５３】
図４に、実施例１の動作例を示す。３つのＲＲＨが存在し、システム帯域幅の変更タイミングにおいて、ＲＲＨ＃１が図３の（ｉｉｉ）に該当し、ＲＲＨ＃２が図３の（ｉ）に該当し、ＲＲＨ＃３が図３の（ｉｉ）に該当したとする。この時、ＲＲＨ＃１のシステム帯域幅は変わらず、ＲＲＨ＃２のシステム帯域幅は増え、ＲＲＨ＃３のシステム帯域幅は減少する。
【００５４】
（実施形態２）
実施形態１では、ＲＲＨ１２０のＤ／Ａ変換部３４の入力サンプリング周波数及びＡ／Ｄ変換部２３の出力サンプリング周波数が一定であった。本実施形態では、ＲＲＨ１２０のＤ／Ａ変換部３４の入力サンプリング周波数及びＡ／Ｄ変換部２３の出力サンプリング周波数が可変と想定する。
【００５５】
本実施形態のＢＢＵの装置構成は図２と同じである。
【００５６】
図５は、本実施形態のＲＲＨ１２０の装置構成例である。図１と異なり、伸長部（下り）８１と圧縮部（上り）８２が存在しない。本実施形態は、伸長制御情報に応じてＤ／Ａ変換部３４の入力サンプリング周波数が変動し、圧縮制御情報に応じてＡ／Ｄ変換部２３の出力サンプリング周波数が変動する。
【００５７】
このため、本実施形態の分散型無線通信基地局システムは、実施形態１で説明した分散型無線通信基地局システムと同様の効果を得ることができる。
【００５８】
（実施形態３）
実施形態１では、システム帯域幅を変更することでサンプリング周波数を変更した。本実施形態では、実施形態１で説明したサンプリング周波数の変更に加えて、無線帯域割当状況に基づいた圧縮／伸長によりさらにサンプリング周波数を低減する。
【００５９】
本実施形態のＲＲＨの装置構成は図１または図５と同じである。
【００６０】
図６は、本実施形態のＢＢＵ１１０の装置構成例である。本実施形態において、前記ＲｏＦ伝送部は、システム帯域幅で決定されるサンプリング周波数を、使用される無線信号の周波数が記載された無線帯域割当情報を基に変更し、ＲｏＦ伝送後の伝送信号のサンプリング周波数を、前記システム帯域幅で決定されるサンプリング周波数に戻す。
【００６１】
図２と異なり、図６のＢＢＵ１１０は、下りリンクのためＩＱデータのサンプリング周波数を低減する圧縮部８３と、上りリンクのためＩＱデータのサンプリング周波数を元に戻す伸長部８４を有する。ここで、「サンプリング周波数を元に戻す」とは、システム帯域幅制御部９３が決定したシステム帯域幅に対応するサンプリング周波数に戻す、ということである。
【００６２】
変更されたシステム帯域幅に存在する無線帯域が全て使用されているとは限らない。そこで圧縮／伸長制御部９１は、無線帯域割当情報を基に使用されている無線信号の周波数位置を確認して、無線信号品質にほとんど劣化を与えない範囲で最小のサンプリング周波数を決定する。
【００６３】
下りリンクにおいて、圧縮部８３は、入力されたＩＱデータのサンプリング周波数を圧縮／伸長制御部９１から通知されたサンプリング周波数に変換する。そして、ＲＲＨでは、伸長情報抽出部８５が圧縮／伸長制御部９１から通知されたサンプリング周波数（圧縮／伸長制御情報）を取得し、当該通知に基づいてＲｏＦ伝送された信号のサンプリング周波数を伸長部８１で元に戻す。
【００６４】
上りリンクにおいて、ＲＲＨでは、圧縮情報抽出部８６が圧縮／伸長制御部９１から通知されたサンプリング周波数（圧縮／伸長制御情報）を取得し、当該通知に基づいて圧縮部８２が入力されたＩＱデータのサンプリング周波数を通知されたサンプリング周波数に変換する。ＢＢＵ１１０の伸長部８４は、ＲｏＦ伝送された信号のサンプリング周波数を、圧縮／伸長制御部９１から通知された現状のシステム帯域幅に対応したサンプリング周波数に戻す。
【００６５】
本実施形態の分散型無線通信基地局システムは、システム帯域幅制御部９３が決定したシステム帯域幅全てを無線帯域が利用していない場合に、積極的にサンプリング周波数を低減する。このため、本実施形態の分散型無線通信基地局システムは、実施形態１で説明した分散型無線通信基地局システムの効果以上に光区間の所要帯域を低減できる。
【００６６】
（実施形態４）
実施形態１では、システム帯域幅に合わせてサンプリング周波数等の変調信号作成・信号復調のためのパラメータを変更していた。本実施形態では、システム帯域幅に合わせてＢＢＵの使用無線帯域幅を制限する。
【００６７】
本実施形態のＲＲＨの装置構成は図１または図５と同じである。
【００６８】
図７は、本実施形態のＢＢＵ１１０の装置構成例である。本実施形態において、ＢＢＵ１１０は、
システム帯域幅制御部９３が決定したシステム帯域幅に存在する無線帯域のみで帯域割り当てを行う無線帯域割当部９０を有し、
ＲｏＦ伝送部は、システム帯域幅で決定されるサンプリング周波数を、無線帯域割当９０が割り当てた無線信号をＲｏＦ伝送可能なようにサンプリング周波数に変更し、ＲｏＦ伝送後の伝送信号のサンプリング周波数を、システム帯域幅で決定されるサンプリング周波数に戻す。
【００６９】
図６と異なり、図７のＢＢＵ１１０は、システム帯域幅制御部９３が決定したシステム帯域幅に基づいて変調信号作成・信号復調のためのパラメータを変更せず、決定したシステム帯域幅に無線帯域がおさまるよう、無線帯域割当／符号化率／変調方式決定部９０が無線帯域割当を制限する。具体例を図１２に示す。初期の状態でシステム帯域幅がＢｓであったとする（図１２（ａ））。ここで、システム帯域幅制御部９３は無線トラヒック量に基づいてシステム帯域幅をＢｓ／２に変更する（図１２（ｂ））。システム帯域幅が狭められたことにより使用できない無線帯域が発生するため、無線帯域割当部９０はＢｓ／２のシステム帯域幅に収まるように無線帯域を割り当て直す（図１２（ｃ））。
【００７０】
そして、下りリンクにおいて、決定したシステム帯域幅の無線信号を伝送するために必要最小限のサンプリング周波数を圧縮／伸長制御部９１が決定し、圧縮部８３は入力されたＩＱデータのサンプリング周波数を圧縮／伸長制御部９１から通知されたサンプリング周波数に変換する。そして、ＲＲＨでは、伸長情報抽出部８５が圧縮／伸長制御部９１から通知されたサンプリング周波数（圧縮／伸長制御情報）を取得し、当該通知に基づいてＲｏＦ伝送された信号のサンプリング周波数を伸長部８１で元に戻す。
【００７１】
上りリンクにおいて、決定したシステム帯域幅の無線信号を伝送するために必要最小限のサンプリング周波数を圧縮／伸長制御部９１が決定する。ＲＲＨでは、圧縮情報抽出部８６が圧縮／伸長制御部９１から通知されたサンプリング周波数（圧縮／伸長制御情報）を取得し、当該通知に基づいて圧縮部８２が入力されたＩＱデータのサンプリング周波数を通知されたサンプリング周波数に変換する。ＢＢＵ１１０の伸長部８４は、ＲｏＦ伝送された信号のサンプリング周波数を圧縮／伸長制御部９１から通知された現状のシステム帯域幅に対応したサンプリング周波数に戻す。
【００７２】
［付記］
以下は、本実施形態の分散型無線通信基地局システムを説明したものである。
＜課題＞
関連技術では、ＢＢＵ−ＲＲＨ間で余剰なサンプリング周波数を使用しており、光区間の所要帯域増大に繋がっていた。
＜解決手段＞
本発明は、各ＢＢＵ−ＲＲＨ間に対して、無線トラヒック量に応じてシステム帯域幅を低減することにより、サンプリング周波数を低減して光区間の所要帯域を削減する。
【００７３】
（１）：
無線端末と無線信号を送受信する基地局の機能が信号処理装置（ＢＢＵ：Ｂａｓｅ  Ｂａｎｄ  Ｕｎｉｔ）と無線装置（ＲＲＨ：Ｒｅｍｏｔｅ  Ｒａｄｉｏ  Ｈｅａｄ）に分割され、前記ＢＢＵと前記ＲＲＨとを光ファイバで接続して前記ＢＢＵと前記ＲＲＨとの間の伝送信号を光信号でデジタルＲｏＦ（Ｒａｄｉｏ  ｏｖｅｒ  Ｆｉｂｅｒ）伝送する分散型無線通信基地局システムであって、
下りリンクにおいて、
各ＢＢＵ−ＲＲＨ間の無線トラヒック量を測定する無線トラヒック量算出部と、前記無線トラヒック量に基づいてシステム帯域幅を決定して、サンプリング周波数を含むＢＢＵの変調信号作成・信号復調のためのパラメータを変更するシステム帯域幅制御部と、該変更されたサンプリング周波数を元のサンプリング周波数に戻す伸長部と、伸長した際に発生するエイリアシングを除去するベースバンドフィルタ部と、を備えることを特徴とする分散型無線通信基地局システム。
【００７４】
（２）：
無線端末と無線信号を送受信する基地局の機能が信号処理装置（ＢＢＵ：Ｂａｓｅ  Ｂａｎｄ  Ｕｎｉｔ）と無線装置（ＲＲＨ：Ｒｅｍｏｔｅ  Ｒａｄｉｏ  Ｈｅａｄ）に分割され、前記ＢＢＵと前記ＲＲＨとを光ファイバで接続して前記ＢＢＵと前記ＲＲＨとの間の伝送信号を光信号でデジタルＲｏＦ（Ｒａｄｉｏ  ｏｖｅｒ  Ｆｉｂｅｒ）伝送する分散型無線通信基地局システムであって、
上りリンクにおいて、
各ＢＢＵ−ＲＲＨ間の無線トラヒック量を測定する無線トラヒック量算出部と、前記無線トラヒック量に基づいてシステム帯域幅を決定して、サンプリング周波数を含むＢＢＵの変調信号作成・信号復調のためのパラメータを変更するシステム帯域幅制御部と、受信信号のうち変更されたシステム帯域幅上の無線信号を通過させるベースバンドフィルタ部と、ＩＱデータのサンプリング周波数を該変更されたサンプリング周波数に変更する圧縮部と、を備えることを特徴とする分散型無線通信基地局システム。
【００７５】
（３）：
前記システム帯域幅制御部は、前記無線トラヒック量が増大して第一の閾値に達した時、前記ＢＢＵ−ＲＲＨ間のシステム帯域幅を増大することを特徴とする、上記（１）（２）に記載のシステム。
【００７６】
（４）：
前記システム帯域幅制御部は、前記無線トラヒック量が低下して第二の閾値に達した時、前記ＢＢＵ−ＲＲＨ間のシステム帯域幅を低下することを特徴とする、上記（１）〜（３）に記載のシステム。
【００７７】
（５）：
前記システム帯域幅制御部は、光区間の所要帯域が光区間の通信容量以上となった際、光区間の所要帯域が光区間の通信容量以下となるよう、少なくとも一つ以上のＢＢＵ−ＲＲＨ間のシステム帯域幅を減少することを特徴とする、上記（１）〜（４）に記載のシステム。
【００７８】
（６）：
無線端末と無線信号を送受信する基地局の機能が信号処理装置（ＢＢＵ：Ｂａｓｅ  Ｂａｎｄ  Ｕｎｉｔ）と無線装置（ＲＲＨ：Ｒｅｍｏｔｅ  Ｒａｄｉｏ  Ｈｅａｄ）に分割され、前記ＢＢＵと前記ＲＲＨとを光ファイバで接続して前記ＢＢＵと前記ＲＲＨとの間の伝送信号を光信号でデジタルＲｏＦ（Ｒａｄｉｏ  ｏｖｅｒ  Ｆｉｂｅｒ）伝送する分散型無線通信基地局システムであって、
下りリンクにおいて、
各ＢＢＵ−ＲＲＨ間の無線トラヒック量を測定する無線トラヒック量算出部と、前記無線トラヒック量に基づいてシステム帯域幅を決定するシステム帯域幅制御部と、該変更されたシステム帯域幅上に存在する無線帯域だけを用いて帯域割当を行う無線帯域割当部と、ＩＱデータのサンプリング周波数を該変更されたシステム帯域幅に存在する無線信号だけを通過させる必要最小限のサンプリング周波数に低減する圧縮部と、該変更されたサンプリング周波数を元のサンプリング周波数に戻す伸長部と、伸長した際に発生するエイリアシングを除去するベースバンドフィルタ部と、を備えることを特徴とする分散型無線通信基地局システム。
【００７９】
（７）：
無線端末と無線信号を送受信する基地局の機能が信号処理装置（ＢＢＵ：Ｂａｓｅ  Ｂａｎｄ  Ｕｎｉｔ）と無線装置（ＲＲＨ：Ｒｅｍｏｔｅ  Ｒａｄｉｏ  Ｈｅａｄ）に分割され、前記ＢＢＵと前記ＲＲＨとを光ファイバで接続して前記ＢＢＵと前記ＲＲＨとの間の伝送信号を光信号でデジタルＲｏＦ（Ｒａｄｉｏ  ｏｖｅｒ  Ｆｉｂｅｒ）伝送する分散型無線通信基地局システムであって、
上りリンクにおいて、
各ＢＢＵ−ＲＲＨ間の無線トラヒック量を測定する無線トラヒック量算出部と、前記無線トラヒック量に基づいてシステム帯域幅を決定するシステム帯域幅制御部と、該変更されたシステム帯域幅上に存在する無線帯域だけを用いて帯域割当を行う無線帯域割当部と、受信信号のうち変更されたシステム帯域幅上の無線信号を通過させるベースバンドフィルタ部と、ＩＱデータのサンプリング周波数を該変更されたシステム帯域幅に存在する無線信号だけを通過させる必要最小限のサンプリング周波数に低減する圧縮部と、該変更されたサンプリング周波数を元のサンプリング周波数に戻す伸長部と、を備えることを特徴とする分散型無線通信基地局システム。
【００８０】
（８）：
無線端末と無線信号を送受信する基地局の機能が信号処理装置（ＢＢＵ：Ｂａｓｅ  Ｂａｎｄ  Ｕｎｉｔ）と無線装置（ＲＲＨ：Ｒｅｍｏｔｅ  Ｒａｄｉｏ  Ｈｅａｄ）に分割され、前記ＢＢＵと前記ＲＲＨとを光ファイバで接続して前記ＢＢＵと前記ＲＲＨとの間の伝送信号を光信号でデジタルＲｏＦ（Ｒａｄｉｏ  ｏｖｅｒ  Ｆｉｂｅｒ）伝送する分散型無線基地局の通信方法であって、
下りリンクにおいて、
各ＢＢＵ−ＲＲＨ間の無線トラヒック量を測定し、前記無線トラヒック量に基づいてシステム帯域幅を決定して、サンプリング周波数を含むＢＢＵの変調信号作成・信号復調のためのパラメータを変更して、該変更されたサンプリング周波数を元のサンプリング周波数に戻し、伸長した際に発生するエイリアシングを除去する、ことを特徴とする分散型無線基地局の通信方法。
【００８１】
（９）：
無線端末と無線信号を送受信する基地局の機能が信号処理装置（ＢＢＵ：Ｂａｓｅ  Ｂａｎｄ  Ｕｎｉｔ）と無線装置（ＲＲＨ：Ｒｅｍｏｔｅ  Ｒａｄｉｏ  Ｈｅａｄ）に分割され、前記ＢＢＵと前記ＲＲＨとを光ファイバで接続して前記ＢＢＵと前記ＲＲＨとの間の伝送信号を光信号でデジタルＲｏＦ（Ｒａｄｉｏ  ｏｖｅｒ  Ｆｉｂｅｒ）伝送する分散型無線基地局の通信方法であって、
上りリンクにおいて、
各ＢＢＵ−ＲＲＨ間の無線トラヒック量を測定し、前記無線トラヒック量に基づいてシステム帯域幅を決定して、サンプリング周波数を含むＢＢＵの変調信号作成・信号復調のためのパラメータを変更して、受信信号のうち変更されたシステム帯域幅上の無線信号を通過させ、ＩＱデータのサンプリング周波数を該変更されたサンプリング周波数に変更する、ことを特徴とする分散型無線基地局の通信方法。
【００８２】
＜効果＞
本発明により、システム帯域幅が減少して、サンプリング周波数が低減するため、ＢＢＵ−ＲＲＨ間の所要帯域を減少する事ができる。
【符号の説明】
【００８３】
１１：アンテナ
１２：送受切替部
２１：増幅器
２２：ダウンコンバート部
２３：Ａ／Ｄ変換部
２４−１：ベースバンドフィルタ部（上り）
２５：フレーム変換部
２６：Ｅ／Ｏ変換部
３１：Ｏ／Ｅ変換部
３２：フレーム変換部
３３−１：ベースバンドフィルタ部（下り）
３４：Ｄ／Ａ変換部
３５：アップコンバート部
３６：増幅器
４１：Ｏ／Ｅ変換部
４２：フレーム変換部
４３−２：デマッピング部
４３−６：周波数領域変換部
４３−７：時間領域変換部
４３−８：復号及び復調部
５１：フレーム変換部
５２：Ｅ／Ｏ変換部
５３−２：マッピング部
５３−５：符号化及び変調部
５３−６：時間領域変換部
８１：伸長部（下り）
８２：圧縮部（上り）
８５：伸長情報（下り）抽出部
８６：圧縮情報（上り）抽出部
９０：無線帯域割当／符号化率／変調方式決定部、無線帯域割当部
９１：圧縮／伸長制御部
９２：無線トラヒック量算出部（下り、上り）
９３：システム帯域幅制御部
１０１：携帯端末
１１０：ＢＢＵ
１２０：ＲＲＵ
１３０：ＰＯＮシステム３０１：分散型無線通信基地局システム
１４０：ＯＬＴ
１５０：ＯＮＵ
３０１：分散無線通信基地局システム
【図１】
0006023103.tif 000002
【図２】
0006023103.tif 000003
【図３】
0006023103.tif 000004
【図４】
0006023103.tif 000005
【図５】
0006023103.tif 000006
【図６】
0006023103.tif 000007
【図７】
0006023103.tif 000008
【図８】
0006023103.tif 000009
【図９】
0006023103.tif 000010
【図１０】
0006023103.tif 000011
【図１１】
0006023103.tif 000012
【図１２】
0006023103.tif 000013